(57)【要約】      （修正有）【課題】物品の持ち運びができることに加えて、特別に保管場所を確保する必要がなく、しかも、タイミングよく且つ的確に使用者の頭部を保護できる手提げバッグを提供する。【解決手段】外出の際、手提げバッグ１を持ち歩く特性を利用して、地震等の災害が起きた時、その手提げバックを直ちに被り、それにより、その使用者８の頭部８ａを手提げバッグ本体２底部の衝撃吸収板１２により保護できるようにする。このとき、通気孔により使用者８が呼吸を行えるようにし、外部確認窓により使用者８が外部を確認できるようにする。その一方、通常時には、従前通り、物品の持ち運びが行え、当該手提げバッグ１を使用しないときには、コンパクトに折り畳めるようにする。【選択図】図４
0003170635.tif 000002
【実用新案登録請求の範囲】
【請求項１】
手提げバッグ本体が、帯状の底部と、該底部の幅方向両側から起立して互いに対向する第１の一対の対向壁部と、前記底部の延び方向両側から起立して互いに対向する第２の一対の対向壁部と、により構成され、該手提げバッグ本体の上部に出し入れ開口が形成されている手提げバッグにおいて、
前記手提げバッグ本体が、該手提げバッグ本体の出し入れ開口を通じて使用者の頭部を出し入れできる大きさとされ、
前記手提げバッグ本体の底部に、衝撃を吸収する衝撃吸収板が該底部の延び方向に延びるようにして配置され、
前記第２の一対の対向壁部のうちの少なくとも一方の対向壁部に、内部から外部を確認できる外部確認窓と、前記手提げバッグ本体の内外の通気の移動を可能とする通気孔と、が設けられ、
前記外部確認窓が、前記手提げバッグを使用者が被って該使用者の頭部が該手提げバッグ内に入り込んだとき、該使用者の視認領域に配置されるように設定されている、
ことを特徴とする手提げバッグ。
【請求項２】
請求項１において、
前記手提げバッグ本体の底部の内面側に、前記衝撃吸収板が保持されている、
ことを特徴とする手提げバッグ。
【請求項３】
請求項２において、
前記第１の一対の対向壁部に、前記手提げバッグ本体の出し入れ開口から外側に向けて突出する持ち手がそれぞれ備えられ、
前記衝撃吸収板に、前記手提げバッグ本体の開口側を向いた板面において複数の溝が形成され、
前記各溝が、前記衝撃吸収板の幅方向全体に亘って延びるようにしつつ、該衝撃吸収板の延び方向に間隔をあけて配置されている、
ことを特徴とする手提げバッグ。
【請求項４】
請求項３において、
前記各持ち手には、該各持ち手から前記底部の延び方向両側に延びて該底部に連結される持ち手延長部がそれぞれ設けられている、
ことを特徴とする手提げバッグ。
【請求項５】
請求項４において、
前記底部の内底面上に保持材が、該内底面を覆うように配置されていると共に、該底部と保持材とが、該底部の幅方向両側部分において結合され、
前記底部と前記保持材との間に前記衝撃吸収板が収納されている、
ことを特徴とする手提げバッグ。
【請求項６】
請求項１〜５のいずれか１項において、
前記外部確認窓及び前記通気孔が、前記第２の一対の対向壁部のうちの少なくとも一方の対向壁部をメッシュ状又は網目状に形成することにより構成されている、
ことを特徴とする手提げバッグ。
【請求項７】
請求項１〜６のいずれか１項において、
前記衝撃吸収板が、複数の層をなす積層構造として形成され、
前記複数の層が、前記手提げバッグの底部に近づくに従って硬質度が高くなるように設定されている、
ことを特徴とする手提げバッグ。
【請求項８】
請求項７において、
前記衝撃吸収板が、前記底部に向かって順に、ウレタンスポンジ、発泡ポリスチレン、ＡＢＳ樹脂成形体が配置される積層構造とされている、
ことを特徴とする手提げバッグ。
【考案の詳細な説明】
【技術分野】
【０００１】
本考案は、災害時に人の頭部を保護する頭部保護機能をも有する手提げバッグに関するものである。
【背景技術】
【０００２】
外出の際、手提げバッグが広く用いられている。手提げバッグは、特許文献１に示すように、上部に開口を有しその上部開口を通じて内部に物品を収納できることになっており、この手提げバッグを用いることにより、物品を気軽に収納して持ち運ぶことができると共に、物品を運ばないときには折り畳んでコンパクトにすることができる。
【０００３】
ところで、近時、地震等の災害を考慮して、ヘルメットが準備される傾向にある。ヘルメットを被れば、地震等の災害時に使用者の頭部を保護することができるからである。
【先行技術文献】
【特許文献】
【０００４】
【特許文献１】登録実用新案第０３１５３４１８号公報
【考案の概要】
【考案が解決しようとする課題】
【０００５】
しかし、その一方で、ヘルメットは、人間の頭部よりもやや大きめの大きさを有しており、その大きさに応じた保管場所が必要となる。しかも、地震等の災害時に、ヘルメットの保管場所の近くに居ないときには、ヘルメットをタイミングよく利用することができない。
【０００６】
本考案は、上記実情に鑑みてなされたものであり、その技術的課題は、物品の持ち運びができることに加えて、特別に保管場所を確保する必要がなく、しかも、タイミングよく且つ的確に使用者の頭部を保護できる手提げバッグを提供することにある。
【課題を解決するための手段】
【０００７】
上記技術的課題を達成するために本考案（請求項１に係る考案）にあっては、
手提げバッグ本体が、帯状の底部と、該底部の幅方向両側から起立して互いに対向する第１の一対の対向壁部と、前記底部の延び方向両側から起立して互いに対向する第２の一対の対向壁部と、により構成され、該手提げバッグ本体の上部に出し入れ開口が形成されている手提げバッグにおいて、
前記手提げバッグ本体が、該手提げバッグ本体の出し入れ開口を通じて使用者の頭部を出し入れできる大きさとされ、
前記手提げバッグ本体の底部に、衝撃を吸収する衝撃吸収板が該底部の延び方向に延びるようにして配置され、
前記第２の一対の対向壁部のうちの少なくとも一方の対向壁部に、内部から外部を確認できる外部確認窓と、前記手提げバッグ本体の内外の通気の移動を可能とする通気孔と、が設けられ、
前記外部確認窓が、前記手提げバッグを使用者が被って該使用者の頭部が該手提げバッグ内に入り込んだとき、該使用者の視認領域に配置されるように設定されている構成とされている。この請求項１の好ましい態様としては、請求項２以下の記載のとおりとなる。
【考案の効果】
【０００８】
本考案（請求項１に係る考案）によれば、外出の際、手提げバッグを持ち歩く手提げバッグの本来の特性を利用して、地震等の災害が起きた時、その手提げバックを直ちに被ることができ、それにより、その使用者の頭部を手提げバッグ本体底部の衝撃吸収板により保護できる。このとき、使用者は、通気孔を通じて呼吸ができるばかりか、外部確認窓により外部を確認しつつ、行動できる。このため、タイミングよく且つ的確に使用者の頭部を保護できる。
その一方、通常時（災害時でないとき）には、本来の物品の持ち運びを行うことができることは勿論、当該手提げバッグを使用しないときには、コンパクトに折り畳んでどこにでも邪魔にならないように置くことができる。
したがって、物品の持ち運びができることに加えて、特別に保管場所を確保する必要がなく、しかも、タイミングよく且つ的確に使用者の頭部を保護できる手提げバッグを提供できる。
【０００９】
請求項２に係る考案によれば、手提げバッグ本体の底部の内面側に、衝撃吸収板が保持されていることから、衝撃吸収板を手提げバッグ本体内に収納して外部から見えないようにすることができると共に、手提げバッグ本体を使用者が頭部に被るとき、手提げバッグ内から衝撃吸収板が落下して、その衝撃吸収板により使用者の頭部の保護を行えなくなることを防止できる。
【００１０】
請求項３に係る考案によれば、第１の一対の対向壁部に、手提げバッグ本体の出し入れ開口から外側に向けて突出する持ち手がそれぞれ備えられ、衝撃吸収板に、手提げバッグ本体の開口側を向いた板面において複数の溝が形成され、各溝が、衝撃吸収板の幅方向全体に亘って延びるようにしつつ、該衝撃吸収板の延び方向に間隔をあけて配置されていることから、各溝を基準として衝撃吸収板を使用者の頭部に沿わせて曲げることができ、使用者の頭部を落下物等から効果的に保護できる。
また、これに伴い、衝撃吸収板として、硬質性の高いものをも用いることができることになり（使用者の頭部に沿わせて曲げ使用可）、落下物等から使用者の頭部を、より有効に保護できる。
さらに、手提げバッグ本体を被った状態で持ち手をもって手提げバッグ本体を引き下げることにより、衝撃吸収板を使用者の頭部に沿わせて容易に曲げることができることになり、手提げバッグの持ち手を有効に利用できる。
【００１１】
請求項４に係る考案によれば、各持ち手には、該各持ち手から底部の延び方向両側に延びて該底部に連結される持ち手延長部がそれぞれ設けられていることから、手提げバッグ本体を被った状態で持ち手をもって手提げバッグ本体を引き下げることにより、その力は、衝撃吸収板に曲げ力として的確に伝達されることになり、衝撃吸収板を、確実に使用者の頭部に沿わせることができる。
【００１２】
請求項５に係る考案によれば、底部の内底面上に保持材が、該内底面を覆うように配置されていると共に、底部と保持材とが、該底部の幅方向両側部分において結合され、底部と保持材との間に衝撃吸収板が収納されていることから、衝撃吸収板を、底部の内底面に接着剤を用いることなく保持できることになり、底部の内底面に対する衝撃吸収板の保持によって、衝撃吸収板が曲がりにくくなることを防止できる。
【００１３】
請求項６に係る考案によれば、外部確認窓及び通気孔が、第２の一対の対向壁部のうちの少なくとも一方の対向壁部をメッシュ状又は網目状に形成することにより構成されていることから、外部確認窓及び通気孔を簡易な共通の構成（少なくとも一方の対向壁部をメッシュ状又は網目状に形成すること）として形成することができ、当該手提げバッグを容易に製造できる。
【００１４】
請求項７に係る考案によれば、衝撃吸収板が、複数の層をなす積層構造として形成され、複数の層が、手提げバッグの底部に近づくに従って硬質度が高くなるように設定されていることから、落下物から使用者の頭部を保護する衝撃吸収板として、好ましいものを提供できる。
【００１５】
請求項８に係る考案によれば、衝撃吸収板が、底部に向かって順に、ウレタンスポンジ、発泡ポリスチレン、ＡＢＳ樹脂成形体が配置される積層構造とされていることから、衝撃吸収板として好ましいものを具体的に提供できる。
【図面の簡単な説明】
【００１６】
【図１】実施形態に係る手提げバッグを示す斜視図である。
【図２】図１の手提げバッグを裏返した状態を示す説明図である。
【図３】実施形態に係る衝撃吸収板を説明する説明図である。
【図４】実施形態に係る手提げバッグを被って使用者の頭部を保護している状態を説明する説明図である。
【考案を実施するための形態】
【００１７】
以下に、本考案の実施形態について図面に基づいて説明する。
【００１８】
図１において、符号１は、実施形態に係る手提げバッグを示す。この手提げバッグ１は、手提げバッグ本体２と、一対の持ち手３と、を有している。
【００１９】
手提げバッグ本体２は、図１，図２に示すように、帯状の底部４と、その底部４の幅方向両側から起立して互いに対向する第１の一対の対向壁部５と、底部４の延び方向両側から起立して互いに対向する第２の一対の対向壁部６と、により構成されている。これにより、手提げバッグ本体２の上部に出し入れ開口７が形成され、その出し入れ開口７を通じて、手提げバッグ本体２内に物品を収納することができる。この手提げバッグ本体２の出し入れ開口７は、人（人間、使用者）８の頭部８ａを手提げバッグ本体２の内部に出し入れできる大きさとされており、人８の頭部８ａが出し入れ開口７を通じて手提げバッグ１内に入り込んだときには、その手提げバッグ１の底部４は人８の頭部８ａにより支えられる（図４も参照）。
この手提げバッグ本体２は、本実施形態においては、第１の一対の対向壁部５及び底部４が不織布により形成され、第２の一対の対向壁部６が透明な材質、例えばビニールシートにより形成されている。勿論、第１，第２の一対の対向壁部５、６及び底部４の材料としては、種々のものを用いることができる。
【００２０】
前記一対の各持ち手３は、図１，図２に示すように、第１の一対の各対向壁部５の内面に互いに対向した状態でそれぞれ取付けられている。この各持ち手３は、例えば布製の帯材を用いて形成されており、その各持ち手３は、手で持つことができるようにすべく、出し入れ開口７の上縁部から外方（上方）に突出されて該上縁部と略半円空間を区画するように配置されている。
この各持ち手３の両端側には、本実施形態においては、各持ち手３の両端側に対して持ち手延長部９がそれぞれ連続的に設けられている。この一対の持ち手延長部９は、第１の各対向壁部５の内面に取付けられた状態をもって、手提げバッグ本体２の底部４の延び方向に互いに離れるようにしつつ、手提げバッグ本体２の上縁部側から底部４に向かって延びており、その一対の持ち手延長部９が底部４に至ったときには、その一対の持ち手延長部９は、さらに、底部４内面に取付けられた状態をもって幅方向に延びて、相手方対向壁部５における一対の持ち手延長部９と連続することになっている。この場合、第１の一対の対向壁部５及び底部４に対する持ち手延長部９の取付けには、第１の一対の対向壁部５及び底部４が不織布により形成されていることから、縫製が利用されている。
【００２１】
前記底部４の内底面上には、図２に示すように、保持材としての保持布１０が設けられている。保持布１０は底部４の内底面を覆うように配置され、その底部４と保持布１０とは、その底部４の幅方向両側部分において縫製することにより結合されている。これにより、底部４と保持布１０との間に帯板状の収納空間１１が形成され、その収納空間１１の両端は開口されている。
【００２２】
前記収納空間１１には、図１〜図３に示すように、衝撃吸収板１２が収納されている。衝撃吸収板１２は、底部４ないしはそれよりもやや小さめの大きさ及び形状をもって帯板状に形成されており、その衝撃吸収板１２が収納空間１１に収納されることにより、手提げバッグ１の底部４は、平板状に維持される。この収納空間１１に対する衝撃吸収板１２の収納にあたっては、手提げバッグ本体２を裏返した状態（図２に示す状態）にした上で、収納空間１１の一方の開口から衝撃吸収板１２を入れ込み、その後、手提げバッグ１を表返し状態（図１の状態）に戻されることになっている。これにより、収納空間１１の両開口が第２の一対の対向壁部６に塞がれ、衝撃吸収板１２が収納空間１１から抜け出ることが規制される。
【００２３】
この衝撃吸収板１２は、本実施形態においては、硬度の異なる複数の層１３〜１５をもって形成される積層構造をなしており、その複数の層１３〜１５は、手提げバッグ本体２の底部４に近づくに従って硬質度が高くなるように設定されている。具体的には、底部４に向けて硬度を高めるべく、層１３としてウレタンスポンジ、層１４として発泡ポリスチレン、層１５としてＡＢＳ樹脂成形体が用いられている。
【００２４】
この衝撃吸収板１２には、図３に示すように、複数（本実施形態においては２つ）の溝１６が形成されている。各溝１６は、衝撃吸収板１２の幅方向（図３中、紙面直交方向）全体に亘って延びており、その各溝１６は、衝撃吸収板１２の延び方向（図３中、左右方向）において間隔をあけて配置されている。本実施形態においては、層１４の肉厚方向両面に複数の溝１６（１６ａ，１６ｂ）が形成されており、そのうち、底部４から遠い側の面の各溝１６ａは、底部４に近い側の面の各溝１６ｂに比べて、溝幅、溝深さが大きく形成され、その溝幅は底部４から離れるに従って拡がることになっている。
【００２５】
前記第２の一対の各対向壁部６には、図１，図２に示すように、外部確認窓１７及び通気孔１８がそれぞれ形成されている。外部確認窓１７は、各対向壁部６のうち、上下方向略中央よりも下方側部分の領域が占めており、この領域は、手提げバッグ本体２を使用者８が被って該使用者８の頭部８ａが該手提げバッグ本体２内に入り込んだときには、該使用者８の視認領域に位置することになっている。この外部確認窓１７の領域は、その部分を構成する材質（ビニールシート）の透明性を利用して、内部から外部を視認できることになっている。このため、手提げバッグ本体２内に頭部８ａを入れ込んだ使用者８は、外部確認窓１７から外部を観察できることになり、その状態を維持しつつ、行動することができる。
【００２６】
通気孔１８は、各対向壁部６のうち、上下方向略中央よりも上方側部分の領域において形成されている。通気孔１８は、本実施形態においては、複数の小孔状の通気孔１８をもって構成されており、その複数の通気孔１８は、手提げバッグ本体２を使用者８が被って該使用者８の頭部８ａが該手提げバッグ本体２内に入り込んだときには、該使用者８の口元に位置することになっている。これにより、使用者８は、手提げバッグ本体２を頭部８ａに被った状態であっても、呼吸を行うことができることになっている。
【００２７】
このような手提げバッグ１においては、通常、出し入れ開口７から物品を入れ、その手提げバッグ１の持ち手３を持つことにより、手提げバッグ１と共にその内部の物品を運ぶことができる。
地震等の災害時には、手提げバッグ１を持ち歩く特性を利用して、図４に示すように、その手提げバッグ１を頭部８ａに被り、持ち手３を下方に引く。これにより、衝撃吸収板１２が、複数の溝１６に基づき、使用者８の頭部８ａに沿うように曲げられ、その衝撃吸収板１２は、落下物から使用者８の頭部８ａを保護する。
このとき、衝撃吸収板１２は、使用者８の頭部８ａを落下物から効果的に保護するべく、手提げバッグ本体２の底部４に向かうほど硬質材料とされていると共に、そのような硬質材料層を含む積層構造の衝撃吸収板１２が使用者８の頭部８ａに沿って的確に曲がるように複数の溝１６の位置が考慮され、さらには、持ち手３を引く力が衝撃吸収板１２の延び方向両側に伝達されて衝撃吸収板１２が使用者８の頭部８ａに沿うように直ちに曲がるように配慮されている。
また、手提げバッグ１を使用しないときは、折り畳んでコンパクトにできる。このため、手に持ち歩くことも、鞄に入れて持ち歩くことも容易に行うことができ、さらには、家庭では、特別に保管場所を確保する必要がなくなる。
【００２８】
以上実施形態について説明したが本考案にあっては、次のような態様を包含する。
（１）第２の一対の対向壁部６の少なくとも一方の壁部を、メッシュ状又は網目状に構成し、それにより、外部確認窓１７と通気孔１８とを構成すること。
（２）衝撃吸収板１２の手提げバッグ本体２の底部４に対する取付けに関しては、底部４に取付けられている限り、その取付け方法はどのようなものでもよく、また、その取付け位置は底部４の内面側でも外面側でもよいこと。
【００２９】
本考案の目的は、明記されたものに限らず、実質的に好ましいあるいは利点として表現されたものを提供することをも暗黙的に含むものである。
【符号の説明】
【００３０】
１  手提げバッグ
２  手提げバッグ本体
３  持ち手
４  手提げバッグ本体の底部
５  第１の一対の対向壁部
６  第２の一対の対向壁部
７  出し入れ開口
８  使用者
８ａ  頭部
９  持ち手延長部
１０  保持布（保持材）
１１  収納空間
１２  衝撃吸収板
１３  層
１４  層
１５  層
１６  溝
１６ａ  溝
１７  外部確認窓
１８  通気孔
【図１】
0003170635.tif 000003
【図２】
0003170635.tif 000004
【図３】
0003170635.tif 000005
【図４】
0003170635.tif 000006